(57)【要約】【課題】指が滑らなくて開封容易なピルファープルーフキャップを提供する。【手段】ピルファープルーフキャップはねじ蓋１とタッパーエビデンスバンド２とから成っており、ねじ蓋１の外周の複数箇所に平坦状の切欠き７を形成している。切欠き７は平面視での角度θにおいて５０〜６０°程度の広がりを持っている。ねじ蓋１の外周のうち切欠き７でない部分には多数のローレット（突条）８を形成している。ねじ蓋１はいわばスパナで回すかのような状態で回転させることができるため、指の滑りがなくて軽快に開封することができる。【選択図】図１
2008030823.tif 000002
【特許請求の範囲】
【請求項１】
内周に内ねじが形成された筒部の上端に天板を一体に設けて成るねじ蓋と、前記筒部の下端に一体に設けたタッパーエビデンスバンドとから成っており、前記ねじ蓋の外周のうち円周方向に沿って離れた複数箇所に略平坦状の切欠きが形成されており、筒部の外周のうち隣り合った切欠きの間の部分は同じ曲率半径の円弧状になっている、
合成樹脂製のピルファープルーフキャップ。
【請求項２】
前記切欠きは、円周方向に略等間隔を隔てて２〜４個形成されていると共に、平面視において５０〜６０°の角度の広がりを持っている一方、前記円弧状部には縦長の多数本のローレットが形成されている、
請求項１に記載した合成樹脂製のピルファープルーフキャップ。
【発明の詳細な説明】
【技術分野】
【０００１】
本願発明は、ねじ蓋とタッパーエビデンスバンドとを備えた合成樹脂製のピルファープルーフキャップ（不正開封防止機能付き蓋装置）に関するものである。
【背景技術】
【０００２】
ペットボトルやガラス瓶のようなボトル類や柔軟な袋体に注出具を設けた袋状容器、或いは紙パックなどの流体用容器の封止手段として、タッパーエビデンスバンド（ＴＥバンド）を備えたピルファープルーフキャップが多用されている。タッパーエビデンスバンドはピルファープルーフバンド（ＰＰバンド）とも呼ばれており、開封操作で破断するブリッジ部を介してねじ蓋に繋がっている。
【０００３】
ピルファープルーフキャップは、素材から見て樹脂製のものと金属板製（ブリキ板製）とに分けられる。また、開封後の状態から見ると、開封によってタッパーエビデンスバンドがねじ蓋から離反するタイプと、開封した後もタッパーエビデンスバンドがねじ蓋に連結したままになっているタイプとに分けられる。
【０００４】
更に、開封操作によってブリッジ部が破断する原理から見ると、タッパーエビデンスバンドの内周に容器のフランジに下方から引っ掛かる係止爪を設けていて、ねじ蓋のみが上向きに移動することでブリッジ部が千切れるタイプと、タッパーエビデンスバンドの内周に設けたラチェット爪が容器の口部外周に形成されたストッパーに当たって、タッパーエビデンスバンドが回転不能に保持されてねじ蓋のみが回転することでブリッジ部が千切れるものとに分けられる。
【０００５】
ピルファープルーフキャップは流通段階での不正開封を容易に把握できるため、特に安全性が要請される飲料容器に多用されているが、容器口部への締め込みがきつくて開封しにくいものがあるのが問題である。開封しにくいのはねじ蓋を戻し回転させにくいということで、原因には、ねじ蓋の天板に設けた中栓部が容器の口部内に強く嵌合していてねじ戻し抵抗が大きくなっている場合や、ねじ蓋と容器の雄ねじとが強く螺合していておおきな摩擦抵抗が生じている場合、或いは、ブリッジ部が千切れにくくて抵抗が大きくなっている場合などがある。
【０００６】
また、指がねじ蓋から滑りやすくてねじ蓋に大きな力を掛けにくいことも開封しにくい原因の一つになっている。指の引っ掛かりを良くするためにねじ蓋の外周に多数の細かい突条からなるローレット部を形成しているが、それでも開封しにくい場合が多い。特に、ねじ蓋が水で濡れている場合は指が滑りやすいため特に開封しにくくなる。
【０００７】
そこで、ねじ蓋に対する指の引っ掛かりを良くすることが提案されている。その例として特許文献１では、ねじ蓋の外周にローレット部を形成するにおいて、隣り合った突条（リブ）の高さを変えることが記載されており、また、特許文献２には、ねじ蓋の外周に一定高さの突条からなるローレット部を形成しているキャップにおいて、ねじ蓋の外周の複数箇所に、ローレット部を分断する状態で高さの高いリブを形成することが開示されている。
【特許文献１】特開２００１−３４５２４７号公報
【特許文献２】特開２００６−００１６００号公報
【発明の開示】
【発明が解決しようとする課題】
【０００８】
前記両文献のものは単純なローレット部を形成しているに過ぎない従来品に比べたら指の引っ掛かりを良くできると推測されるが、容器の口部に対する締め込みが非常に硬い場合には指の滑り現象は防止し難いと言える。
【０００９】
本願発明はこのような現状に鑑み成されたものであり、ねじ蓋に対する指の引っ掛かり機能を格段に向上させて抜群の開封容易性を実現したピルファープルーフキャップを提供することを課題とするものである。
【課題を解決するための手段】
【００１０】
前記課題を解決するため本願発明は、内周に内ねじが形成された筒部の上端に天板を一体に設けて成るねじ蓋と、前記筒部の下端に一体に設けたタッパーエビデンスバンドとから成っているピルファープルーフキャップにおいて、前記ねじ蓋の外周のうち円周方向に沿って離れた複数箇所に略平坦状の切欠きが形成されており、切欠きを除いた部分の同じ曲率半径の円弧状になっている、という構成になっている。
【００１１】
更に本願発明の好適な展開においては、請求項２に記載したように、前記切欠きは、円周方向に略等間隔を隔てて２〜４個形成されていると共に、平面視において５０〜６０°の角度で広がっている一方、前記円弧状部には縦長の多数本のローレットが形成されている。
【発明の効果】
【００１２】
本願発明によると、ねじ蓋の外周に平坦状の切欠きが形成されているため、いわばスパナで回すような状態になって指に対するねじ蓋の引っ掛かり性が格段に高くなる。このため、ねじ蓋に対して大きい回転トルクを付与することができ、その結果、キャップが容器口部にきつく締め込まれていても軽快に開封することができる。
【００１３】
本願発明は、ねじ蓋の摩擦抵抗を大きくすると言うよりもねじ蓋の切欠きに指を引っ掛けて回転偶力を生じさせるものであるため、キャップが水で濡れていても容易に開封することができる。また、袋体を樹脂製の注出口に溶着した袋状容器を開封するに当たっては、注出口のうち袋体が溶着されている基部を片手で摘んでいるが、注出口の基部は小さくてしっかり掴みにくく、このためボトル類に比べて一層開封しにくい場合があったが、本願発明ではねじ蓋をしっかりと掴んで回転させることができるため、袋状容器においても軽快に開封することができる。
【００１４】
切欠きの横幅はあまり小さいと指の引っ掛かり機能を期待できず、逆に幅が広過ぎると必要な肉厚を確保するために全体の外径が大きくなる。この点、請求項２のように設定すると、大型化を招来することなく指の引っ掛かり性を確保し、かつ、円弧状部にローレットが形成されていて指の引っ掛かりがより一層向上し、このため特に好適であった。実寸としては、切欠きの横幅は１０〜１５ｍｍ程度が好適であった（言うまでもないが、実寸はねじ蓋の外径の大きさによっても相違する。）。
【００１５】
ねじ蓋の全体を多角形に形成することも考えられるが、ねじ蓋は丸いという観念から外れるため消費者に違和感を与える場合があり、また、キャッパーの構成を変更せねばならない問題がある。これに対して本願発明では切欠きでない部分は円弧状になっていて基本的に円形であるため、消費者に違和感を与えることはなく、また、従来のキャッパーをそのまま使用して充填後のねじ込みを行える。
【発明を実施するための最良の形態】
【００１６】
(1).第１実施形態
次に、本願発明の実施形態を図面に基づいて説明する。まず、図１に基づいて第１実施形態を説明する。本実施形態のピルファープルーフキャップは袋状容器の封止に適用されるもので、図１のうち（Ａ）は正面図、（Ｂ）は平面図、（Ｃ）は部分的な平断面図、（Ｄ）は（Ｂ）のＤ−Ｄ視断面図である。
【００１７】
ピルファープルーフキャップは、ねじ蓋１とその下端に一体に設けたタッパーエビデンスバンド２から成っている。ねじ蓋１は、筒部３とその上端に一体に繋がった天板４から成っており、筒部３の内周には内ねじ５が形成されている。筒部３は基本的には円筒形になっており、下端部は平滑な外周面を有するフランジ部６が形成されている。
【００１８】
そして、筒部３のうちフランジ部６より上方の外周面のうち軸心を挟んだ２箇所に平坦状の切欠き７が形成されており、切欠き７と切欠き７との間の部分は、多数本の細かいローレット（突条）８が形成された円弧状部になっている。天板４の下面には容器口部（図示せず）に嵌入する中栓部１０を形成している。
【００１９】
切欠き７はフラットになっているが、（Ｂ）に一点鎖線で示すように平面視で外向き凹に湾曲し凹曲面としてもよい（他の実施形態も同様である）。切欠き７の下端部は傾斜面７ａになっていてフランジ部６に連続している。平面視で切欠き７が広がる範囲は、角度θにおいて約６０°に設定している。なお、図１ではローレット８の頂面部分の線しか表示しておらず、（Ｄ）では内ねじ５と頂面部分の線しか表示していない。また、図では筒部３を完全なストレートの円筒状に表示しているが、実際には、筒部３の外周には若干の抜き勾配（テーパ）が付けられている。
【００２０】
タッパーエビデンスバンド２は、円周方向に飛び飛びに配置された複数本（４本）のブリッジ部１１を介してねじ蓋１に繋がっている。また、本願発明のタッパーエビデンスバンド２はラチェット方式になっており、内周面のうち等間隔を隔てた４箇所にラチェット爪１２が形成されている。４個のラチェット爪１２のうち相対向した２個のラチェット爪１２はねじ蓋１の切欠き７の中間部に配置しており、この２つのラチェット爪１２に連続した状態でタッパーエビデンスバンド２の上端面に台形の上向き突起１３が形成されている一方、ねじ蓋１のフランジ部６には、上向き突起１３と僅かの間隔が空いた下向き嵌合溝１４が形成されている。
【００２１】
上向き突起１３と下向き嵌合溝１４とはねじ込み時にブリッジ部１１が千切れることを防止するためのものであり、ねじ込み方向に向かって前方側の進み側端面は前傾状に傾斜しており、ねじ込み方向に向かって手前側に位置した追い側端面は軸心と同じ方向に延びる縦面になっている。従って、ねじ込み時にはブリッジ部１１には破断に至るほどの外力は作用せず、開封に際してはねじ蓋１のみが回転することになる。
【００２２】
なお、上向き突起１３と下向き嵌合溝１４とは切欠き７の箇所に形成しているので、（Ｄ）においては本来は上向き突起１３と下向き嵌合溝１４とは左右両端部に描かれるべきであるが、（Ｄ）ではタッパーエビデンスバンド２と下向き嵌合溝１４とを９０°ずらした状態に表示している。
【００２３】
以上の構成において、ねじ蓋１の外周面に切欠き７が形成されているため、開封するに際しては指を切欠きに当てることにより、いわばスパナで回転させるのと同様の状態になり、このためねじ蓋１に対して大きな回転トルクを付与できる。その結果、キャップが容器の口部にきつく締め込まれていても軽快に開封することができる。
【００２４】
(2).他の実施形態
図２では第１実施形態の変形例である第２実施形態を示している。（Ａ）は正面図、（Ｂ）は部分的な縦断面図である。この実施形態はタッパーエビデンスバンド２に内周面に係合爪１５を設けたものであり、ねじ蓋１の形態は下向き嵌合溝１４が存在しないことを除いて第１実施形態と同じである。
【００２５】
係合爪１５は全周にわたって連続する状態に形成することも可能であり、多数のものを飛び飛びの状態に形成することも可能である。飛び飛びの態様の一例として、例えば１０°間隔で３６個形成し、かつ、隣り合った係合爪１５の間の間隔寸法を１つの係合爪１５の幅寸法の半分に設定することが挙げられる。
【００２６】
図３（Ａ）に示すのは第２実施形態の平面視であり、この実施形態ではねじ蓋１の外周に、等間隔を隔てて３つの切欠き７を形成している。図３（Ｂ）に示す第３実施形態では、ねじ蓋１の外周に、等間隔を隔てて４つの切欠き７を形成している。図３（Ａ）（Ｂ）においてタッパーエビデンスバンドは第１実施形態のタイプと第２実施形態のタイプとのいずれも採用できる。
【００２７】
第１実施形態のタイプを採用する場合、上向き突起１３と下向き嵌合溝１４との形成位置は任意に設定でき、例えば図３（Ａ）の場合は、一組の上向き突起１３と下向き嵌合溝１４とを一つの切欠き７の箇所に位置させることが可能であり、図３（Ｂ）の場合は、上向き突起１３と下向き嵌合溝１４との組をそれぞれ切欠き７の箇所に位置させることが可能である。
【００２８】
(3).その他
本願発明は上記の実施形態の他にも具体化できる。例えば、各切欠きの箇所にローレット部を形成することも可能である。この場合は、例えば図示した実施形態の円弧状部のローレット部と同じピッチ及び高さとすることも可能であり、或いは、円弧状部のローレット部のピッチ及び高さを半分程度にすることも可能である。切欠きは５個以上形成しても良いし、また、異なる横幅の切欠きを形成することも可能である。
【００２９】
更に、請求項からは外れるが、タッパーエビデンスバンドを備えていないねじ蓋に本願発明と同様の切欠きを形成することも可能である。
【図面の簡単な説明】
【００３０】
【図１】第１実施形態を示す図である。
【図２】第２実施形態を示す図である。
【図３】第３〜第４実施形態を示す図である。
【符号の説明】
【００３１】
１  ねじ蓋
２  タッパーエビデンスバンド
３  筒部
４  天板
７  切欠き
８  ローレット
１１  ブリッジ部
１２  ラチェット爪
【図１】
2008030823.tif 000003
【図２】
2008030823.tif 000004
【図３】
2008030823.tif 000005